(57)【要約】【課題】携帯用端末機で使用可能な単電源を利用して皮膚水和度を測定できるようにすることにより、ユーザが場所や時間に関係なく、いつでもどこでも簡便に皮膚水和度を測定できる測定装置を提供する。【解決手段】携帯用端末機に備わった充電用電源から電力を供給され、測定部位に単電源電圧を印加する電圧印加部３０５と、電圧が印加された測定部位に流れる電流を測定する電流測定部３１０と、測定された電流を入力され、測定電流に相応する電圧を増幅する電圧増幅部３１５と、電圧増幅部の出力電圧が所定の範囲に属するように制御し、電圧増幅部３１５の出力電圧を利用して測定部位のサセプタンスを計算し、計算されたサセプタンスを利用して測定部位の皮膚水和度を計算するメインプロセッサと、を備える携帯用端末機を利用した皮膚水和度の測定装置である。【選択図】図３
2006334415.tif 000002
【特許請求の範囲】
【請求項１】
携帯用端末機に備えられる皮膚水和度測定装置において、
前記携帯用端末機に備えられた電源から電力を供給され、測定部位に単電源電圧を印加する電圧印加部と、
前記電圧が印加された測定部位に流れる電流を測定する電流測定部と、
前記測定された電流が抵抗を通過することにより発生する電圧を増幅させる電圧増幅部と、
前記電圧増幅部の出力電圧が所定の範囲に属するように制御する制御部と、
前記電圧増幅部の出力電圧を利用し、前記測定部位のサセプタンスを計算し、前記計算したサセプタンスを利用し、前記測定部位の皮膚水和度を計算する計算部と、
を備えることを特徴とする皮膚水和度の測定装置。
【請求項２】
前記所定の範囲は、
前記携帯用端末機で測定可能な電圧の範囲であることを特徴とする請求項１に記載の皮膚水和度の測定装置。
【請求項３】
前記制御部は、
前記電圧増幅部の出力電圧が前記所定の範囲に属するように、前記電圧増幅部の増幅率を制御することを特徴とする請求項１に記載の皮膚水和度の測定装置。
【請求項４】
前記制御部は、
前記電圧増幅部の出力電圧が前記所定の範囲に属するように、前記電圧印加部の単電源電圧を制御することを特徴とする請求項１に記載の皮膚水和度の測定装置。
【請求項５】
前記電圧印加部は、
前記単電源電圧を０より大きく１未満の増幅率で増幅する増幅器をさらに備え、
前記制御部は、
前記増幅器の増幅率を制御することを特徴とする請求項１に記載の皮膚水和度の測定装置。
【請求項６】
前記制御部は、
前記電圧増幅部の出力電圧を２以上の区間に分け、前記区間それぞれに対して相異なる増幅率を適用することを特徴とする請求項３に記載の皮膚水和度の測定装置。
【請求項７】
前記電圧増幅部は、
２以上の増幅器を備えることを特徴とする請求項１に記載の皮膚水和度の測定装置。
【請求項８】
前記電圧増幅部は、
非線形増幅器であることを特徴とする請求項１に記載の皮膚水和度の測定装置。
【請求項９】
前記電圧印加部は、
前記皮膚水和度の測定装置を較正しようとする場合、前記測定部位に印加される電圧と異なる大きさの単電源電圧をキャパシタまたはインダクタに印加することを特徴とする請求項１に記載の皮膚水和度の測定装置。
【請求項１０】
携帯用端末機を利用する皮膚水和度の測定装置の制御方法において、
電圧増幅部が、前記携帯用端末機の単電源電圧を測定部位に印加することにより前記測定部位に流れる電流を抵抗に流すことにより発生する電圧を増幅させるステップと、
計算部が、前記増幅された電圧を利用し、前記測定部位のサセプタンスを計算するステップと、
前記計算部が、前記計算されたサセプタンスを利用し、前記測定部位の皮膚水和度を計算するステップと、
を含むことを特徴とする皮膚水和度の測定装置の制御方法。
【請求項１１】
前記電圧を増幅させるステップより前に、制御部が前記増幅された電圧が所定範囲になるように増幅率を調節するステップをさらに含むことを特徴とする請求項１０に記載の皮膚水和度の測定装置の制御方法。
【請求項１２】
前記所定の範囲は、
前記携帯用端末機で測定可能な電圧の範囲であることを特徴とする請求項１１に記載の皮膚水和度の測定方法。
【請求項１３】
前記制御部が、前記印加するステップで印加する電圧を調節するステップをさらに含み、
前記電圧を増幅させるステップで増幅された電圧の大きさを所定範囲に属させることを特徴とする請求項１１に記載の皮膚水和度の測定装置の制御方法。
【請求項１４】
前記制御部が、前記電圧を増幅させるステップより前に増幅された電圧の大きさを２以上の区間に分け、前記区間それぞれに対して相異なる増幅率を適用するステップをさらに含み、
前記電圧を増幅させるステップで増幅された電圧の大きさを所定範囲に属させることを特徴とする請求項１１に記載の皮膚水和度の測定装置の制御方法。
【請求項１５】
前記電圧を増幅させるステップは、
前記制御部が、前記測定された電流に相応する電圧を２以上の段階に分けて、前記電圧増幅部が、前記電圧を増幅することを特徴とする請求項１０に記載の皮膚水和度の測定装置の制御方法。
【請求項１６】
前記電圧を増幅させるステップは、
非線形増幅器を利用し、前記測定された電流に相応する電圧を増幅することを特徴とする請求項１０に記載の皮膚水和度の測定装置の制御方法。
【請求項１７】
携帯用端末機に備えられた電源から電力を供給されて測定部位に単電源電圧を印加するステップと、
前記単電源電圧が印加された測定部位に流れる電流を測定するステップと、
前記測定した電流が流れることにより抵抗にかかる電圧を増幅するステップと、
前記増幅した電圧を利用し、前記測定部位のサセプタンスを計算するステップと、
前記計算したサセプタンスを利用し、前記測定部位の皮膚水和度を計算するステップと、
を含む携帯用端末機を利用して皮膚水和度を測定する皮膚水和度の測定方法をコンピュータに実行させるための測定部位の皮膚水和度の測定プログラムを記録したことを特徴とするコンピュータで読み取り可能な記録媒体。
【請求項１８】
測定された皮膚の測定部位にＡＣ電圧を印加する電圧印加部と、
前記皮膚の測定部位を流れる電流を測定する電流測定部と、
測定された電流を、抵抗を介して受信し、測定された電流に該当する電圧を増幅する電圧増幅器と、
前記増幅された電圧が最大測定可能な電圧を超えないように電圧を制御する制御部と、
前記増幅された電圧を使用して前記部位のサセプタンスを計算し、計算されたサセプタンスを利用して前記測定部位の皮膚水和度を計算する計算部と、
を備えることを特徴とする皮膚水和度を測定する携帯端末機。
【請求項１９】
携帯用端末機を利用して測定部位の皮膚水和度を測定する測定装置の制御方法において、
計算部が、前記携帯用端末機の単電源電圧を測定部位に印加することにより前記測定部位に流れる電流を基に前記測定部位のサセプタンスを計算するステップと、
前記計算部が、前記計算されたサセプタンスを利用し、前記測定部位の皮膚水和度を計算するステップと、
を含むことを特徴とする皮膚水和度を測定する測定装置の制御方法。
【請求項２０】
電圧増幅部が、前記単電源電圧を測定部位に印加することにより前記測定部位に流れる電流を抵抗に流すことにより発生する電圧を増幅させるステップと、
をさらに含み、
前記サセプタンスは、測定された電流及び増幅された電圧を利用して計算されることを特徴とする請求項１９に記載の測定装置の制御方法。
【請求項２１】
少なくとも１つのコンピュータを、
電圧が印加された測定部位を流れる電流を測定する手段、
前記測定された電流を基に前記測定部位のサセプタンスを計算する手段、
前記計算されたサセプタンスを利用し、前記測定部位の皮膚水和度を計算する手段、
として機能させる測定部位の皮膚水和度の測定プログラムを記録したことを特徴とする記録媒体。
【発明の詳細な説明】
【技術分野】
【０００１】
本発明は、皮膚水和度（Ｓｋｉｎ  ｈｙｄｒａｔｉｏｎ）の測定装置、皮膚水和度の測定装置の制御方法及び皮膚水和度の測定プログラムを記録した記録媒体に係り、特に、携帯電話、または携帯情報端末（ＰＤＡ）のような携帯用端末機を利用して皮膚水和度を測定する皮膚水和度の測定装置、皮膚水和度の測定装置の制御方法及び皮膚水和度の測定プログラムを記録した記録媒体に関する。
【背景技術】
【０００２】
皮膚は、皮膚の含まれる水分を介して外部の刺激と感染とから身体を保護する障壁の役割を果たす。最近、皮膚美容への関心の高まりにより、皮膚の角質層に含まれた水分の量である皮膚水和度を測定する装置が開発されている。前記皮膚水和度の測定装置を利用して測定した皮膚水分量を利用し、測定された皮膚水和度に合う化粧品を選択したり、または周囲の環境の温湿度の影響に対する評価及び皮膚疾患にかかっていないかどうかなどを確認したりする。
【０００３】
図１は、皮膚の断面図である。皮膚は、剥離層１００、角質層１１０、有棘層１２０、真皮１３０及び皮下組織１４０からなっている。前記剥離層１００、角質層１１０及び有棘層１２０を含む表皮部分は、皮膚内水分の外部蒸発を防止することにより、水分均衡及び障壁の機能を皮膚に維持させる。特に、前記表皮の水分均衡機能は、前記角質層１１０内の水和度維持メカニズムにより行われる。
【０００４】
皮膚水和度は、角質層１１０に含まれる水分の量を意味し、皮膚障壁の状態を表す最適の指標であり、皮膚水和度は、人により、身体部位により、または季節により異なる値を有する。
【０００５】
皮膚水和度を測定する方法としては、皮膚に電圧を印加した後、印加した電圧に対応して皮膚に流れる電流を測定することにより、測定した電流を利用して角質層の水分量を計算する方法が使われる。
【０００６】
しかし、このような皮膚水和度の測定装置は、携帯が不便であり、ユーザが皮膚水和度を測定しようとする場所や時間に制限されることなく、自身の皮膚状態を測定できないという問題があった。また、携帯電話のような携帯用端末機を利用して皮膚水和度を測定するためには、携帯用端末機に備えられた３Ｖ前後の単電源をＤＣ／ＤＣコンバータを利用して昇圧した後で使用しなければならず、電力消耗が増大するという問題があった。
【発明の開示】
【発明が解決しようとする課題】
【０００７】
本発明が解決しようとする技術的課題は、皮膚水和度を測定するにあたり、このような問題点を解決するために、携帯用端末機の単電源を利用して皮膚水和度を測定する皮膚水和度の測定装置、皮膚水和度の測定装置の制御方法及び皮膚水和度の測定プログラムを記録した記録媒体を提供することである。
【課題を解決するための手段】
【０００８】
上記課題を解決するため、本発明に係る皮膚水和度測定装置は、携帯用端末機に備えられる皮膚水和度測定装置において、前記携帯用端末機に備えられた電源から電力を供給され、測定部位に単電源電圧を印加する電圧印加部と、前記電圧が印加された測定部位に流れる電流を測定する電流測定部と、前記測定された電流が抵抗を通過することにより発生する電圧を増幅させる電圧増幅部と、前記電圧増幅部の出力電圧が所定の範囲に属するように制御する制御部と、前記電圧増幅部の出力電圧を利用し、前記測定部位のサセプタンスを計算し、前記計算したサセプタンスを利用し、前記測定部位の皮膚水和度を計算する計算部と、を備える。
【０００９】
前記所定の範囲は、前記携帯用端末機で測定可能な電圧の範囲であることが好ましい。
ここで、「携帯用端末機で測定可能な電圧の範囲」は、携帯用端末機で使用される電圧を越えない範囲を意味する。例えば、携帯用端末機の使用電源が、０−３Ｖの場合、増幅された電圧３Ｖを超えると３Ｖに飽和されるので、測定可能な電圧は携帯用端末機で使用される電圧３Ｖを越えない範囲を意味する。
【００１０】
前記制御部は、前記電圧増幅部の出力電圧が前記所定の範囲に属するように、前記電圧増幅部の増幅率を制御することが好ましい。
【００１１】
前記制御部は、前記電圧増幅部の出力電圧が前記所定の範囲に属するように、前記電圧印加部の単電源電圧を制御することが好ましい。
【００１２】
前記電圧印加部は、前記単電源電圧を０より大きく１未満の増幅率で増幅する増幅器をさらに備え、前記制御部は、前記増幅器の増幅率を制御することが好ましい。
【００１３】
前記制御部は、前記電圧増幅部の出力電圧を２以上の区間に分け、前記区間それぞれに対して相異なる増幅率を適用することが好ましい。
【００１４】
前記電圧増幅部は、２以上の増幅器を備えることが好ましい。
【００１５】
前記電圧増幅部は、非線形増幅器であることが好ましい。
【００１６】
前記電圧印加部は、前記皮膚水和度の測定装置を較正しようとする場合、前記測定部位に印加される電圧と異なる大きさの単電源電圧をキャパシタまたはインダクタに印加することが好ましい。
【００１７】
また、上記課題を解決するため、本発明に係る皮膚水和度の測定装置の制御方法は、携帯用端末機を利用する皮膚水和度の測定装置の制御方法において、電圧増幅部が、前記携帯用端末機の単電源電圧を測定部位に印加することにより前記測定部位に流れる電流を抵抗に流すことにより発生する電圧を増幅させるステップと、計算部が、前記増幅された電圧を利用し、前記測定部位のサセプタンスを計算するステップと、前記計算部が、前記計算されたサセプタンスを利用し、前記測定部位の皮膚水和度を計算するステップと、を含む。
【００１８】
前記電圧を増幅させるステップより前に、制御部が前記増幅された電圧が所定範囲になるように増幅率を調節するステップをさらに含むことが好ましい。
【００１９】
前記所定の範囲は、前記携帯用端末機で測定可能な電圧の範囲であることが好ましい。
【００２０】
前記制御部が、前記印加するステップで印加する電圧を調節するステップをさらに含み、前記電圧を増幅させるステップで増幅された電圧の大きさを所定範囲に属させることが好ましい。
【００２１】
前記制御部が、前記電圧を増幅させるステップより前に増幅された電圧の大きさを２以上の区間に分け、前記区間それぞれに対して相異なる増幅率を適用するステップをさらに含み、前記電圧を増幅させるステップで増幅された電圧の大きさを所定範囲に属させることが好ましい。
【００２２】
前記電圧を増幅させるステップは、前記制御部が、前記測定された電流に相応する電圧を２以上の段階に分けて、前記電圧増幅部が、前記電圧を増幅することが好ましい。
【００２３】
前記電圧を増幅させるステップは、非線形増幅器を利用し、前記測定された電流に相応する電圧を増幅することが好ましい。
【００２４】
また、上記課題を解決するため、本発明に係る測定部位の皮膚水和度の測定プログラムを記録したコンピュータで読み取り可能な記録媒体は、携帯用端末機に備えられた電源から電力を供給されて測定部位に単電源電圧を印加するステップと、前記単電源電圧が印加された測定部位に流れる電流を測定するステップと、前記測定した電流が流れることにより抵抗にかかる電圧を増幅するステップと、前記増幅した電圧を利用し、前記測定部位のサセプタンスを計算するステップと、前記計算したサセプタンスを利用し、前記測定部位の皮膚水和度を計算するステップと、を含む携帯用端末機を利用して皮膚水和度を測定する皮膚水和度の測定方法をコンピュータで実行させる。
【００２５】
また、上記課題を解決するため、本発明に係る皮膚水和度を測定する携帯端末機は、測定された皮膚の測定部位にＡＣ電圧を印加する電圧印加部と、前記皮膚の測定部位を流れる電流を測定する電流測定部と、測定された電流を、抵抗を介して受信し、測定された電流に該当する電圧を増幅する電圧増幅器と、前記増幅された電圧が最大測定可能な電圧を超えないように電圧を制御する制御部と、前記増幅された電圧を使用して前記部位のサセプタンスを計算し、計算されたサセプタンスを利用して前記測定部位の皮膚水和度を計算する計算部と、を備える。
【００２６】
また、上記課題を解決するため、本発明に係る携帯用端末機を利用して測定部位の皮膚水和度を測定する測定装置の制御方法は、計算部が、前記携帯用端末機の単電源電圧を測定部位に印加することにより前記測定部位に流れる電流を基に前記測定部位のサセプタンスを計算するステップと、前記計算部が、前記計算されたサセプタンスを利用し、前記測定部位の皮膚水和度を計算するステップと、を含む。
【００２７】
電圧増幅部が、前記単電源電圧を測定部位に印加することにより前記測定部位に流れる電流を抵抗に流すことにより発生する電圧を増幅させるステップと、をさらに含み、前記サセプタンスは、測定された電流及び増幅された電圧を利用して計算されることが好ましい。
【００２８】
さらに、上記課題を解決するため、本発明に係る測定部位の皮膚水和度の測定プログラムを記録したことを特徴とする記録媒体は、少なくとも１つのコンピュータを、電圧が印加された測定部位を流れる電流を測定する手段、前記測定された電流を基に前記測定部位のサセプタンスを計算する手段、前記計算されたサセプタンスを利用し、前記測定部位の皮膚水和度を計算する手段、として機能させる。
【発明の効果】
【００２９】
本発明に係る携帯用端末機を利用した皮膚水和度の測定装置及び方法によれば、携帯用端末機で使用可能な電源を利用して皮膚水和度を測定することにより、ユーザが場所や時間に制限されず、いつでもどこでも携帯電話のような携帯用端末機を利用して簡便に皮膚水和度を測定できる。
【発明を実施するための最良の形態】
【００３０】
以下、添付された図面を参照しつつ、本実施形態に係る携帯用端末機を利用した皮膚水和度の測定装置、測定装置の制御方法及び測定プログラムについて詳細に説明する。
【００３１】
図２は、本実施形態に係る皮膚水和度の測定装置に適用される皮膚水和度の測定方法を示す図面である。交流電源２００は、皮膚に接触した２つの印加電極２１０，２２０を介して、表皮２３０と真皮２４０とからなる皮膚に電圧を印加する。印加電圧は、表皮２３０に含まれた角質層のサセプタンス（ｓｕｓｃｅｐｔａｎｃｅ）を測定するために、５０ｋｈｚ前後の低周波数を有することが望ましい。
【００３２】
２つの測定電極２５０，２６０は、印加された電圧に対応し、皮膚に流れる電流を測定し、皮膚に流れる電流に相応する電圧がＯＰ−ＡＭＰ２７０により増幅されて出力される。増幅された電圧は、Ａ／Ｄ変換部２８０を介してデジタル信号に変換され、計算部２９０は、変換されたデジタル信号を利用し、角質層のサセプタンスを計算する。計算部２９０は、計算されたサセプタンスを利用し、角質層に含まれた水分の量を計算する。
【００３３】
図３は、本実施形態に係る皮膚水和度測定が可能な携帯用端末機の全体的な構成を示すブロック図である。図３に示す携帯用端末機は、充電用電源３００、電圧印加部３０５、電流測定部３１０、電圧増幅部３１５、Ａ／Ｄ変換部３２０、メインプロセッサ３２５、ＲＯＭ３３０、ＲＡＭ３３５、ディスプレイ部３４０、ユーザ入力部３４５及び通信部３５０を備えてなる。図３に図示された携帯用端末機を利用した皮膚水和度の測定装置の動作を、図５を参照して説明する。ここで、携帯端末機としては、例えば、携帯電話またはＰＤＡである。図５は、携帯用端末機を利用した皮膚水和度の測定装置の動作を示すフローチャートである。
【００３４】
一般的な携帯電話のような携帯用端末機の動作としては、メインプロセッサ３２５の制御を受けて通信部３５０は、基地局とデータまたは音声信号を送受信し、ディスプレイ部３４０は、現在の携帯用端末機の状態などを表示し、ユーザ入力部３４５は、ユーザから特定端末機の機能遂行のための命令を、図示を省略したキーボタンなどを介して入力される。ＲＯＭ３３０は、メインプロセッサの動作のためのプログラムを保存する。
【００３５】
電圧印加部３０５は、充電用電源３００から電力を供給され、ユーザが皮膚水和度を測定する所望の部位に電圧を印加する（ステップ５００）。電圧印加部３０５は、２個のＯＰ−ＡＭＰを備え、ＯＰ−ＡＭＰを介して発生させたサイン波を測定部位に印加することが望ましい。また、一般的に、携帯用端末機に使われる電源は、０Ｖから３Ｖ前後の範囲を有する単電源（ｓｉｎｇｌｅ  ｐｏｗｅｒ  ｓｏｕｒｃｅ）であるから、電圧印加部３０５もまた測定部位に０Ｖから３Ｖ前後の範囲を有する単電圧を印加する。電圧印加部３０５は、メインプロセッサ３２５で使われるサイン波を直接メインプロセッサ３２５から入力され、測定部位に印加することもできる。ここで、単電源は、一般的に、０Ｖないし３Ｖの範囲であり、電圧印加部３０５は、この範囲の電圧を印加できるが、単電源は、３Ｖ以上であってもよく、かかる場合、電圧印加部３０５も、３Ｖ以上の電圧を印加可能である。
【００３６】
電流測定部３１０は、測定部位に接触した電極（図示せず）を利用し、印加電圧を印加することにより測定部位に流れる電流を測定する（ステップ５１０）。測定した電流が抵抗（図示せず）を通過することにより発生する電圧は、電圧増幅部３１５に入力される。ここで、抵抗は、電圧増幅部３１５で増幅された電圧が携帯端末機で使われる電圧を超えないようにすることが望ましい。電圧増幅部３１５は、ＯＰ−ＡＭＰのような増幅器を利用し、測定された電圧に相応する電圧を増幅する（ステップ５２０）。この増幅された電圧の大きさが携帯用端末機で測定可能な範囲、例えば、携帯用端末機で使用する電源である０Ｖから３Ｖまでである場合、０Ｖから３Ｖまでの間を超えれば、測定される増幅電圧の大きさが３Ｖにサチュレート（ｓａｔｕｒａｔｉｏｎ）される。従って、メインプロセッサ３２５は、電圧増幅部３１５の出力電圧が、携帯用端末機内で測定可能な電圧の範囲になるように制御する（ステップ５３０）。
【００３７】
電圧増幅部３１５は、非線形増幅器を利用し、測定した電圧に相応する電圧を増幅することが望ましい。電圧増幅部３１５の出力電圧のうち、皮膚水和度測定に使用できる出力電圧の範囲は、入力電圧の増大に比例して出力電圧が増大する線形区間に属する電圧である。図４は、非線形増幅器の入出力電圧をグラフで示す図面である。図４に示すように、非線形増幅器を利用して電圧を増幅することにより、線形区間（ａ−ｂ）を拡大できる。本実施形態のように、狭い範囲の単電源電圧を、線形増幅器を使用して増幅する場合には、線形区間が狭く、皮膚水和度測定の誤差が発生する確率が高いので、前記の通りに非線形増幅器を使用して線形区間を拡大することにより、皮膚水和度の測定誤差を減らすことができる。
【００３８】
電圧印加部３０５が測定部位に電圧を印加し、電流測定部３１０が測定部位に流れる電流を正確に測定するためには、一定時間以上、電圧印加部３０５と電流測定部３１０とに備えられた電極が測定部位に接触しなければならないので、ディスプレイ部３４０が測定時間を表示し、ユーザが一定時間以上、電圧印加部３０５と電流測定部３１０とを測定部位に接触させていることが望ましい。
【００３９】
以下では、ステップ５３０におけるメインプロセッサ３２５が増幅された電圧を制御する方法について具体的に述べる。
【００４０】
第一の方法としては、メインプロセッサ３２５は、電圧増幅部３１５の出力電圧を入力され、入力された出力電圧が、携帯用端末機内で測定可能な電圧の範囲に属するように、電圧増幅部３１５の増幅率を調整する。メインプロセッサ３２５は、電圧増幅部３１５に備えられた可変抵抗の抵抗値を調整することにより、電圧増幅部３１５の増幅率を調整することが望ましい。電圧増幅部３１５の出力電圧の大きさが大きいほど信号対ノイズ比（ＳＮＲ：Ｓｉｇｎａｌ  ｔｏ  Ｎｏｉｓｅ  Ｒａｔｉｏ）が増大するので、正確な皮膚水和度の測定のために、メインプロセッサ３２５は、増幅された電圧の大きさが携帯用端末機内で測定可能な電圧の範囲でできる限り大きい値を有するように制御することが望ましい。
【００４１】
第二の方法としては、ＲＡＭ３３５に電圧増幅部３１５の出力電圧を２つ以上の区間に分け、各区間に対応する増幅率値を保存しておき、メインプロセッサ３２５は、電圧増幅部３１５から入力される増幅された電圧の大きさに対応する増幅率をＲＡＭ３３５から読み出し、電圧増幅部３１５の増幅率を調整する。例えば、ＲＡＭ３３５に電圧増幅部３１５の出力電圧を２区間に分け、出力電圧が０Ｖから１．５Ｖである場合には、増幅率を１００倍に、前記出力電圧が１．５Ｖから３Ｖである場合には、増幅率を１０倍に保存しておき、メインプロセッサ３２５は、電圧増幅部３１５の出力電圧が０．５Ｖの場合には、電圧増幅部３１５の増幅率を１００倍に調整することが望ましい。
【００４２】
第三の方法としては、電圧印加部３０５が、増幅率が０より大きく１未満である増幅器（図示せず）、すなわち、電圧の大きさを小さくする増幅器（図示せず）を具備し、メインプロセッサ３２５が、電圧増幅部３１５の出力電圧の大きさが携帯用端末機内で測定可能な電圧範囲を超えないように、増幅器（図示せず）の増幅率を調整する。
【００４３】
第四の方法としては、電圧増幅部３１５が２個以上のＯＰ−ＡＭＰを具備し、電圧増幅部に入力される電圧を２段階以上に分けて増幅し、電圧増幅部３１５の出力電圧が携帯用端末機内で測定可能な電圧範囲を超えないように制御することもできる。メインプロセッサ３２５が増幅率を調整し、電圧増幅部３１５の出力電圧を制御した場合、調整された増幅率値をＲＡＭ３３５に保存することが望ましい。
【００４４】
Ａ／Ｄ変換部３２０は、電圧増幅部３１５の出力電圧をデジタル信号に変換して出力する（ステップ５４０）。メインプロセッサ３２５は、デジタル信号を入力され、デジタル信号と次の式（１）とを利用し、測定部位の角質層のサセプタンスＢを計算する（ステップ５５０）。
【００４５】
【数１】
2006334415.tif 000003
【００４６】
式（１）で、Ｉは測定電流であり、Ｖは印加電圧、Ｙは測定部位のアドミタンス、Ｇは測定部位のコンダクタンス、Ｂは測定部位のサセプタンスである。
【００４７】
メインプロセッサ３２５は、電圧増幅部３１５の増幅率、Ａ／Ｄ変換部３２０から入力されるデジタル信号の大きさ、及び電圧増幅部３１５の前段階で使われた抵抗値を利用し、電流測定部３１０で測定した電流を計算し、計算された測定電流を電圧印加部３０５が印加した電圧で割ってアドミタンス値を計算し、測定部位のサセプタンス値を計算する。前記のように、印加電圧の周波数を５０Ｋｈｚ前後の低周波とすることにより、測定部位のうち、水分量を測定する所望の角質層のアドミタンスを計算できる。
【００４８】
メインプロセッサ３２５は、計算された測定部位のサセプタンス値を利用し、測定部位の皮膚水和度を計算する（ステップ５６０）。ＲＡＭ３３５には、サセプタンス値と皮膚水和度値との関係が関係式またはルックアップテーブルのような形態で保存されており、メインプロセッサ３２５は、ＲＡＭ３３５に保存されたサセプタンス値と皮膚水和度値との関係を利用し、計算されたサセプタンス値から測定部位の皮膚水和度を計算することが望ましい。また、ＲＡＭ３３５に保存されたサセプタンスと皮膚水和度との関係は、実験により求めることが望ましい。
【００４９】
ディスプレイ部３４０は、メインプロセッサ３２５から計算された皮膚水和度値を入力され、ユーザが見ることができるように表示する（ステップ５７０）。
【００５０】
ＲＯＭ３３０には、測定された皮膚水和度によってユーザに提供される皮膚情報、例えば、皮膚に合う化粧品情報または周囲環境による皮膚状態情報などを保存していることが望ましく、メインプロセッサ３２５は、計算した皮膚水和度による情報をＲＯＭ３３０から読み出し、ディスプレイ部３４０を介してユーザに提供することが望ましい。
【００５１】
次に、携帯端末機を利用した皮膚水和度測定装置の精度を調整するための較正（キャリブレーション：ｃａｌｉｂｒａｔｉｏｎ）方法を説明する。皮膚水和度測定装置の較正方法は、すでにキャパシタンス値を知っているキャパシタ、またはインダクタンス値を知っているインダクタに皮膚水和度の測定装置を利用してサセプタンス値を測定した後、測定されたサセプタンス値と、あらかじめ知っているキャパシタンス値またはインダクタンス値によるサセプタンス値とが一致するか否かを確認して較正を行う。較正を行うために、皮膚水和度測定のために測定部位に印加する電圧と同じ電圧をキャパシタまたはインダクタに電圧を印加する場合には、電圧増幅部３１５の出力電圧が携帯用端末機内で測定可能な電圧の範囲を超えてしまう場合が多い。従って、較正遂行時には、電圧印加部３０５は、皮膚水和度測定時に印加される電圧より小さい電圧を印加することが望ましい。具体的には、電圧印加部３０５が印加電圧を発生させるために使用する２個のＯＰ−ＡＭＰのうち、皮膚水和度測定のためのサイン波が出力されるＯＰ−ＡＭＰ以外の残りのＯＰ−ＡＭＰから出力されるコサイン波をキャパシタまたはインダクタに印加することが望ましい。
【００５２】
本発明はまた、コンピュータで読み取り可能な記録媒体にコンピュータで読み取り可能名コードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ、ＲＡＭ、ＣＤ−ＲＯＭ、磁気テープ、フレキシブルディスク、光データ保存装置などがあり、また、キャリアウェーブ（例えば、インターネットを通した伝送）の形態で具現されるものも含む。また、コンピュータで読み取り可能な記録媒体は、ネットワークに連結されたコンピュータシステムに分散され、分散方式でコンピュータに読み取り可能なコードが保存されて実行されうる。そして、本発明を具現するための機能的なプログラム、コード及びコードセグメントは、本発明が属する技術分野のプログラマーらにより容易に推論されうる。
【００５３】
以上、本発明の望ましい実施形態について詳細に説明したが、本発明が属する技術分野において当業者ならば、特許請求の範囲に定義された本発明の精神及び範囲を外れずに、本発明をさまざまに変形または変更して実施できるということが分かるであろう。従って、本発明の今後の実施形態の変更は、本発明の技術を外れることはないのである。
また、本発明の技術的範囲は、特許請求の範囲の記載に基づいて定められ、発明を実施するための最良の形態の記載により制限されるものではない。
【産業上の利用可能性】
【００５４】
本発明の携帯用端末機を利用した皮膚水和度の測定装置、測定装置の制御方法及び測定プログラムを記録した記録媒体は、例えば、健康・美容関連の技術分野に効果的に適用可能である。
【図面の簡単な説明】
【００５５】
【図１】皮膚の構成を表す断面図である。
【図２】本実施形態に係る皮膚水和度の測定装置に適用される皮膚水和度の測定方法を説明するための図面である。
【図３】本実施形態に係る皮膚水和度測定が可能な携帯用端末機の全体的な構成を表すブロック図である。
【図４】非線形増幅器の動作を説明するためのグラフである。
【図５】本実施形態に係る携帯用端末機を利用した皮膚水和度の測定方法を表すフローチャートである。
【符号の説明】
【００５６】
１００  剥離層
１１０  角質層
１２０  有棘層
１３０，２４０  真皮
１４０  皮下組織
２００  交流電源
２１０，２２０  印加電極
２３０  表皮
２５０，２６０  測定電極
２７０  ＯＰ  ＡＭＰ
２８０，３２０  Ａ／Ｄ変換部
２９０  計算部
３００  充電用電源
３０５  電圧印加部
３１０  電流測定部
３１５  電圧増幅部
３２５  メインプロセッサ
３３０  ＲＯＭ
３３５  ＲＡＭ
３４０  ディスプレイ部
３４５  ユーザ入力部
３５０  通信部
【図１】
2006334415.tif 000004
【図２】
2006334415.tif 000005
【図３】
2006334415.tif 000006
【図４】
2006334415.tif 000007
【図５】
2006334415.tif 000008